(57)【要約】【課題】  型内被覆成形において成形品の表面側から注入した塗料を側面から裏面側に周り込ませて塗装する場合でも、効果的に塗料の漏れを防止する技術を提供する。【解決手段】  本発明に係わる型内被覆成形用金型では、製品キャビティの金型割面に隣設した補助キャビティに突起部を配して金型開閉方向に伸びる壁部を形成するとともに、該壁部を形成する金型部分に対して、金型開閉方向に直交する方向に伸びる微小突起を成形するための溝部を形成した。本発明は、前述の構成により、成形時において金型を微小に開くことにより塗料を注入するための隙間を確保するとともに、微小突起が溝部から外れて金型のキャビティ面に強く押し付けられるので漏れを防止するためのシール部を形成する。従って、本発明によれば、樹脂成形品の表面側から注入した塗料を側面から裏面側に周り込んで広げて塗装する場合においても、塗料の漏れを効果的に防止できる。【選択図】          図１
2012196928.tif 000002
【特許請求の範囲】
【請求項１】
固定型と可動型の間で、製品キャビティと、該製品キャビティの金型割面に隣設して該製品キャビティを周りから囲むようにして配された補助キャビティとを形成し、
該補助キャビティの内部に突起部を配して金型開閉方向に伸びる壁部を形成するとともに、該壁部を形成する金型部分に金型開閉方向に直交する方向に伸びる微小突起を成形するための溝部を形成した型内被覆成形用金型を用いて、
該製品キャビティと補助キャビティに樹脂を充填した後、固定型と可動型の間を微開状態として、該製品キャビティに塗料を注入するための隙間を形成し、該隙間に塗料を注入することによって、樹脂成形品を被覆することを特徴とした型内被覆成形方法。
【請求項２】
製品キャビティ、並びに、該製品キャビティの金型割面に隣設して該製品キャビティを周りから囲むようにして配された補助キャビティ、を形成する固定型と可動型を備えるとともに、
製品キャビティで成形した樹脂成形品の表面に被覆を施すための塗料注入機、並びに、該製品キャビティと補助キャビティに樹脂を充填するためのゲートを備えた型内被覆成形用金型であって、
該補助キャビティの内部に突起部を配して、金型開閉方向に伸びる壁部を形成するとともに、
該壁部を形成する金型部分に、金型開閉方向に直交する方向に伸びる微小突起を成形するための溝部を形成した型内被覆成形用金型。
【請求項３】
前記製品キャビティの端末部にアンダーカット形状を有する請求項３に記載の型内被覆成形用金型。
【請求項４】
前記製品キャビティの端末部が玉縁形状の場合において、該玉縁形状の端末部を成形する製品キャビティの塗装境界部に、金型開閉方向に直交する方向に伸びる微小突起を成形するための溝部を形成した請求項２又は請求項３に記載の型内被覆成形用金型。
【請求項５】
前記溝部を、金型を構成する金型ブロックの組み合わせ面で形成した請求項２から請求項４までのいずれか１項に記載の型内被覆成形用金型。
【発明の詳細な説明】
【技術分野】
【０００１】
本発明は、金型内で樹脂成形品を成形した後、樹脂成形品を金型から取り出さないまま塗料によって被覆（塗装と称することもある）する型内被覆成形方法と型内被覆成形用金型に関する。
【背景技術】
【０００２】
従来から、樹脂成形品の表面を塗料で被覆して加飾する方法の一つとして、樹脂成形品の成形と被覆を同一の金型で行う型内被覆成形方法（インモールドコーティング方法と称されることもある）が知られている。
【０００３】
熱可塑性樹脂を基材とする型内被覆成形方法の１例を、以下、簡略に説明する。
型内被覆成形方法においては、金型キャビティ内に樹脂を射出充填することによって、樹脂成形品を金型内で成形した後、該金型をわずかに開いた状態（金型微開）とする。
前記工程で金型をわずかに開くと、金型内で成形した樹脂成形品と金型キャビティ面との間に塗料を注入することのできる隙間が生じるので、該隙間に塗料注入機を使用して塗料を注入する。そして、塗料注入後に、金型を再度型締することにより樹脂成形品の表面に塗料を均一に拡張させて硬化させる。塗料が硬化した後に、金型を開いて塗料で被覆した樹脂成形品を金型より取り出す。
【０００４】
前述した従来の型内被覆成形方法によれば、熱可塑性樹脂の成形と被覆を同一の金型内で行うことができるので、浮遊している塵が硬化する以前の被覆に付着して不良となる等といったことがほとんどなく、高い品質の型内被覆成形品を得ることができる。
なお、型内被覆成形方法については、近年、数多くの提案がなされており、又型内被覆成形方法に用いるに好適な金型として、様々な構造の金型が提案されている。
【先行技術文献】
【特許文献】
【０００５】
【特許文献１】特開２００６−２５６０８８公報
【０００６】
型内被覆成形に使用する金型としては、特許文献１に例を示めすような技術が公知である。特許文献１に開示された発明は、主キャビティを囲む割面の横に、溝部を加工した副キャビティを設けて、塗料注入の際に、金型外へ塗料が漏れだすことを防止しようとする技術である。
【発明の概要】
【発明が解決しようとする課題】
【０００７】
前述した特許文献１に開示された従来技術は、副キャビティに形成した溝部で成形した樹脂部によって金型キャビティ部を強く挟み込んで塗料の漏れを防止する発明である。
しかしながら、前述した特許文献１の従来技術は、その構造上、樹脂成形品の表面側から注入した塗料を、側面から裏面側に流して塗装することが難しい。従って、そのような場合には、金型内に塗料注入機を複数個配する必要等があって、構造上、複雑なものにならざるを得なかった。
【０００８】
また、従来技術は、樹脂成形品端末部の形状に制限を受ける可能性がある。例えば、樹脂成形品の端末部が玉縁形状となっているような場合においては表面側から注入した塗料を玉縁の側面から裏面側に流し込んで塗装する必要があるが、従来技術では、適応することが難しい。
【０００９】
本発明は、上記問題点に鑑みてなされたものであり、樹脂成形品の表面側から注入した塗料を側面から裏面側に周り込んで広げて塗装する場合においても、塗料の漏れを効果的に防止できる型内被覆成形方法と、それに使用するに好適な型内被覆成形用金型を提供するものである。
【課題を解決するための手段】
【００１０】
上記の目的を達成するため、本発明による型内被覆成形方法は、
（１）  固定型と可動型の間で、製品キャビティと、該製品キャビティの金型割面に隣設して該製品キャビティを周りから囲むようにして配された補助キャビティとを形成し、
該補助キャビティの内部に突起部を配して金型開閉方向に伸びる壁部を形成するとともに、該壁部を形成する金型部分に金型開閉方向に直交する方向に伸びる微小突起を成形するための溝部を形成した型内被覆成形用金型を用いて、
該製品キャビティと補助キャビティに樹脂を充填した後、固定型と可動型の間を微開状態として、該製品キャビティに塗料を注入するための隙間を形成し、該隙間に塗料を注入することによって、樹脂成形品を被覆する。
【００１１】
また、本発明による型内被覆成形用金型は、
（２）  製品キャビティ、並びに、該製品キャビティの金型割面に隣設して該製品キャビティを周りから囲むようにして配された補助キャビティ、を形成する固定型と可動型を備えるとともに、製品キャビティで成形した樹脂成形品の表面に被覆を施すための塗料注入機、並びに、該製品キャビティと補助キャビティに樹脂を充填するためのゲートを備えた型内被覆成形用金型であって、該補助キャビティの内部に突起部を配して、金型開閉方向に伸びる壁部を形成するとともに、該壁部を形成する金型部分に、金型開閉方向に直交する方向に伸びる微小突起を成形するための溝部を形成した。
【００１２】
（３）  （１）に記載の型内被覆成形用金型において、前記製品キャビティの端末部にアンダーカット形状を有する構成とした。
【００１３】
（４）  （２）又は（３）に記載の型内被覆成形用金型において、前記製品キャビティの端末部が玉縁形状の場合において、該玉縁形状の端末部を成形する製品キャビティの塗装境界部に、金型開閉方向に直交する方向に伸びる微小突起を成形するための溝部を形成した。
【００１４】
（５）  （２）から（４）に記載したいずれか１つの型内被覆成形用金型において、前記溝部を、金型を構成する金型ブロックの組み合わせ面で形成した。
【発明の効果】
【００１５】
本発明は、製品キャビティの金型割面に隣設した補助キャビティに突起部を配して、金型開閉方向に伸びる壁部を形成するとともに、該壁部を形成する金型部分に対して、金型開閉方向に直交する方向に伸びる微小突起を成形するための溝部を形成した。
成形時においては、金型を微小に開くことにより、塗料を注入するための隙間を確保するとともに、微小突起が溝部から外れて金型のキャビティ面に強く押し付けられて、塗料漏れを防止するためのシール部を形成する。
本発明は前述の構成により、樹脂成形品の表面側から注入した塗料を側面から裏面側に周り込んで広げて塗装する場合においても、塗料の漏れを効果的に防止できる。
【００１６】
また、本発明であれば、製品キャビティの端末部にアンダーカット形状を有する場合や、製品キャビティの端末部が玉縁形状の場合においても、適用できる
【００１７】
また、本発明において、前記溝部を金型を構成する金型ブロックの組み合わせ面で形成すれば、製作が容易で、メンテナンスしやすいという利点を有する。
【図面の簡単な説明】
【００１８】
【図１】本実施形態に係わり第１金型の全体構造について説明するための断面図である。
【図２】本実施形態に係わり第１金型のキャビティ構造を説明するための断面図である。
【図３】本実施形態に係わり樹脂挙動を説明するための概念図である。
【図４】本実施形態に係わり第１金型を使用した際のシール挙動を説明する図である。
【図５】本実施形態に係わり第２金型の構造について説明するための図である。
【図６】本実施形態に係わり第２金型のキャビティ構造を説明するための断面図である。
【図７】本実施形態に係わり第２金型を使用した際のシール挙動を説明する図である。
【発明を実施するための形態】
【００１９】
以下、図面に基づき本発明に係わる実施形態の好ましい例を説明する。
図１から図４は、本発明の実施形態に係わり第１の型内被覆成形用金型１００（第１金型１００と称することもある）を使用した場合を示している。
図１は第１金型１００の構造を説明するための図であり（ａ）が型開状態を示し、（ｂ）が型閉状態を示したものであって、図２は第１金型１００のキャビティ構造の詳細を説明するための図である
図３は第１金型１００を使用した際における金型内の樹脂の挙動を概念的に説明するための図であり（１）から（６）まで順次進行する工程を示す。
図４は第１金型１００のシール部構造を説明するために樹脂の挙動を示した図であって（１）から（４）まで順次進行する工程を示す。
【００２０】
また、図５から図７は、本発明の実施形態に係わり第２の型内被覆成形用金型２００（第２金型２００と称することもある）を使用した場合を示している。
図５は第２金型２００の構造を説明するための図であり（ａ）が型開状態を示し、（ｂ）が型閉状態を示したものであって、図６は第２金型２００のキャビティ構造の詳細を説明するための図である。図７は第２金型２００のシール部構造を説明するために樹脂の挙動を示した図であって（１）から（４）まで順次進行する工程の図を示す。
【００２１】
なお、図５から図７までの図面で説明する第２金型２００の構造について、第１金型１００と類似の構造については、同一符号を使用する。
【００２２】
以下、本発明の実施形態について、第１金型１００を使用した例を説明する。
図１及び図２を用いて第１金型１００の構造を説明する。
本実施形態による金型１００は、図１（ａ）及び（ｂ）に示すように、可動型５と固定型３を備えており、可動型５と固定型３を組み合わせて閉じた際に、可動型５と固定型３の間に、樹脂成形品を成形するための製品キャビティ１５が形成される。
そして、また、製品キャビティ１５を形成する固定型３と可動型５の金型分割面である金型割面に隣設して製品キャビティ１５の全周を周りから囲むようにして配置された補助キャビティ１７が形成される。
図２に示すように、第１金型１００の補助キャビティ１７は、製品キャビティ１５に対して、固定型３の金型ブロック３Ｂと、可動型５を構成する金型ブロック５Ａとの嵌め合わせ部（嵌合部）を金型割面として、外周側から周りを囲むようにして隣設している。
なお、本実施形態による第１金型１００においては、固定型３と可動型５の嵌合部を金型割面としたが、金型割面の形態はこれに限らないことは勿論であって、対向した金型面同士を押し当てる金型割面（所謂、フラットパーティング）等であっても勿論良い。
【００２３】
ここで、金型同士の金型割面だけでは、樹脂成形の際に射出充填した樹脂の流通を遮断することができても、塗料のような液体を遮断してシールすることは一般的に難しい。
詳細は後述するが、第１金型１００は、製品キャビティ１５の金型割面を介して外部に漏れ出そうとする塗料の流れを、隣設した補助キャビティによって、遮断してシールするものである。
【００２４】
また、前述したように第１金型１００は、固定型３と可動型５とが組み合わされて、その内部に、所望の樹脂成形品を成形するために必要な製品キャビティ１５を形成する構造となっているが、その製品キャビティ１５で成形される樹脂成形品の形状は所謂、箱型と呼ばれるものであって、平板の端部全周に型開閉方向に伸びる玉縁が形成されている。
【００２５】
そして、第１金型１００においては、製品キャビティ１５の端部に形成された玉縁から可動型５と固定型３の金型割面を介して、補助キャビティ１７が隣設されている。
【００２６】
ここで、第１金型１００においては、図１及び図２に示すように補助キャビティ１７の内部に、可動型５のキャビティ部分の一部として、金型ブロック５Ａと金型ブロック５Ａに取り付けられた金型ブロック５Ｂによって突起部が形成されている。
第１金型１００は、補助キャビティ１７の内部に突起部を配することにより、補助キャビティ１７の断面形状をコの字型にすることで、金型開閉方向に伸びる壁部を形成（第１金型１００においては２箇所）している。図２のＡ部拡大を見ると明らかなように、第１金型１００においては、前述したコの字型の補助キャビティ１７の中に、金型ブロック３Ａ及び３Ｂで形成される固定型３側部分と、可動型５Ａ及び５Ｂで形成される可動型部分との間で、金型開閉方向に伸びる壁部Ｈ１が形成されている。
なお、壁部Ｈ１の形状は、金型開閉方向に対して完全に一致する方向に伸びていなければならないという必要はなく、後述する微小突起を金型キャビティ部分に押し付けてシールするという本発明の効果が損なわれない程度に傾斜等しても良い。
【００２７】
そして、壁部Ｈ１の一方の側の面を形成する金型ブロック３Ａと金型ブロック３Ｂの組み合わせ面においては、金型ブロック３Ｂの端部がＣ面加工されることにより、略３角形の溝部が形成される形となっている。前記溝部は、その深さ方向が、金型開閉方向に対して直交する方向（図２においては上下方向）に伸びており、その長手方向は、製品キャビティ１５の全周を周りから囲むようにして配置された補助キャビティ１７の中に配された突起部に沿って形成される壁部Ｈ１に沿って伸びている。
【００２８】
さらに、壁部Ｈ１の他方の側の面を形成する金型ブロック５Ａと金型ブロック５Ｂの組み合わせ面においては、金型ブロック５Ｂの端部がＣ面加工されることにより、略３角形の溝部が形成される形となっている。
前記溝部は、その深さ方向が、金型開閉方向に対して直交する方向（図２においては上下方向）に伸びており、その長手方向は、製品キャビティ１５の全周を周りから囲むようにして配置された補助キャビティ１７の中に配された突起部に沿って伸びている。
【００２９】
また、第１金型１００では、壁部Ｈ１の片側の面を形成する金型ブロック５Ｂと金型ブロック５Ａの組み合わせ面において金型ブロック５Ｂの端部をＣ面加工することにより溝部を形成しているので、金型ブロック５Ｂの両側に溝部が形成されている形状となっている。
【００３０】
詳細は後述するが、第１金型１００は、樹脂成形の際に、壁部Ｈ１の両側に形成した前述の溝部により、補助キャビティ１７で成形した樹脂成形品に対して、金型開閉方向に直交する方向に伸びる微小突起を成形することによって、塗料注入工程の際に、製品キャビティ１５に連通している金型割面を介して補助キャビティ１７に流れ込んでくる塗料をシールすることが可能になる。
【００３１】
なお、前述した第１金型１００においては、溝部の断面形状が略３角形であって、その深さ方向について、金型開閉方向に対して直交する方向に伸びている。
しかし、本発明に適応できる溝部の形状が、これに限らないことは勿論であって、例えば、溝部の断面形状としては、正方形、長方形、台形、半円形、又、楕円形等であっても良く、その深さ方向についても、全体的に見て金型開閉方向に対して直交（略直交する方向も含む）する方向に伸びていれば良い。
【００３２】
また、第１金型１００においては、図１及び図２に示すように、製品キャビティ１７について、塗料注入機５０を配した側の金型キャビティ面に対して、対向する側の金型キャビティ面について、金型ブロック５Ｂと金型ブロック５Ｃを組み合わせて配し、その組み合わせ面において金型ブロック５Ｃの端部をＣ面加工することにより溝部を形成しており、金型ブロック５Ｃの全周に溝部が形成されている形状となっている。
【００３３】
詳細は後述するが、第１金型１００は、樹脂成形の際に、前記溝部によって、金型開閉方向に直交する方向に伸びる微小突起を成形することによって、塗料注入工程の際に、製品キャビティ１５の塗料注入機５０を配した側（第１金型１００においては、固定型３側）から、製品キャビティ１５の端部に形成した玉縁の側面を介して、玉縁の裏側に周りこむ塗料をシールすることが可能になる。
【００３４】
なお、金型ブロック５Ｃの端部をＣ面加工して形成した溝部により微小突起を形成する位置は、塗料を被覆して塗装する部分と、塗装しない部分の境界になる。従って、金型ブロック５Ｂと５Ｃを組み合わせて溝部を形成する位置として、塗装境界部分形成する位置を選定すれば良い。
【００３５】
また、第１金型１００は、図１に示したように、固定型３の中に、ホットランナーと第１バルブゲート６０Ａ、並びに第２バルブゲート６０Ｂを配する構造となっており、固定型３に射出ノズル６０を当接させて、樹脂を射出することによって、前述したホットランナー、第１バルブゲート６０Ａ並びに第２バルブゲート６０Ｂを使用して金型内に樹脂を供給することができるように構成されている。
なお、第１金型１００は、製品キャビティ１５に第１バルブゲート６０Ａを、補助キャビティ１７に第２バルブゲート６０Ｂを配しており、樹脂を充填する際に両方のバルブを別個に制御することができ、製品キャビティ１５と補助キャビティ１７について、樹脂の充填状態を細かに制御することが可能である。
【００３６】
ここで、第１金型１００は、樹脂成形品の表面片側から塗料を注入して被覆を施すことを目的として製作されている。なお、第１金型１００は、後述する金型の微開時、及び金型の全開時に、図示しない係止機構により、樹脂成形品が可動型５に残る構成となっている。そのため、固定型３に、塗料注入機５０が取り付けられており、塗料注入機５０から製品キャビティ１５に配された塗料注入ノズルを介して、製品キャビティ１５内に塗料を注入することができるように構成されている。
【００３７】
塗料注入機５０は、図示しない駆動装置によって駆動されており、所望する量の塗料を正確に、製品キャビティ１５内に注入することができるように構成されており、後述する型内被覆成形の際には、型内に塗料を注入して、樹脂成形品の被覆が可能である。
【００３８】
以下、第１金型１００を用いた型内被覆成形方法について説明する。
まず、図示しない射出成形機の型締装置に、図３（１）に示すように取り付けられた可動型５と固定型３を、図３（２）に示したように組み合わせて型閉及び型締めして、製品キャビティ１５、補助キャビティ１７を形成する。なお、この際に製品キャビティ１５と補助キャビティ１７は、金型割面を介して隣設している。
【００３９】
次に、図３（３）に示すように、射出ノズル６０から第１バルブゲート６０Ａ及び第２バルブゲート６０Ｂを介して、基材である熱可塑性樹脂（本実施形態においては基材としてＡＢＳ樹脂を使用した）を、それぞれ製品キャビティ１５並びに補助キャビティ１７内に射出する。そして、樹脂の射出充填完了後、可動型５をわずかに移動させて、金型１００が微小に開いた状態（微開）となるように調整する。
第１金型１００が微開すると、成形された樹脂成形品は、固定型３と樹脂成形品の間には、図３（４）に示すような塗料を注入するためのスペースとして、塗料注入隙間が形成される。
【００４０】
なお、この際に、前述した金型の溝部に充填されていた樹脂は硬化して微小突起を形成しており、金型の微小型開きによって、微小突起は溝部から外れる方向に移動しようとする。しかし、前述した溝部は、その深さ方向が、金型開閉方向に対して直交する方向に伸びている。そのため、金型の微開動作によって、微小突起が溝部から外れることにより、微小突起自体がつぶれながら金型キャビティ面に強く押し付けられた状態となる。
従って、補助キャビティ１７に充填した樹脂が、熱収縮して金型キャビティ面との間にわずかな隙間を形成したとしても、その隙間を微小突起が塞いでシール部を形成する。
【００４１】
図４に金型微開した時のシール挙動を示す。図４（２）で第１金型１００に充填した樹脂Ｊは微小突起となって、金型の微開動作により、溝部から外れる方向に移動して、シール部を形成する。
図４（３）に、シール部の配置を示す。前述した壁部Ｈ１の両側に形成した溝部によって成形された微小突起によってシール部Ｓ２、及びシール部Ｓ３を形成している。また、前述した金型ブロック５ＣのＣ面加工により形成した溝部によって成形された微小突起によってシール部Ｓ１を形成している。
【００４２】
シール部Ｓ１、Ｓ２及びＳ３が形成された状態で、図３（５）に示したように、塗料注入機５０から製品キャビティ１５の塗料注入隙間内に塗料を注入する。
この際に、前述したシール部Ｓ２及びシール部Ｓ３は、その長手方向について、製品キャビティ１５の全周を周りから囲むようにして配置された補助キャビティ１７の中に配された突起部に沿って形成された壁部Ｈ１に沿って伸びている。従って、塗料注入の工程の際に、製品キャビティ１５に連通している金型割面の全周を介して、補助キャビティ１７に流れ込んでくる塗料をシールできる。
【００４３】
また、シール部Ｓ１は、図１及び図２に示すように、金型ブロック５Ｃの全周に形成されているので、塗料注入工程の際に、製品キャビティ１５の塗料注入機５０を配した側から、製品キャビティ１５の端部に形成した玉縁の側面を介して、玉縁の裏側に周りこむ塗料をシールできる。
【００４４】
なお、第１金型１００においては、玉縁の裏側（第１金型１００においては可動型５側）の略半分程度まで塗装することを目的として、その位置を塗装境界線として微小突起が形成されるように、金型ブロック５Ａと金型ブロック５Ｃの位置を調整して、シール部Ｓ３を形成した。
【００４５】
本実施形態では、その後、図３（６）に示すように、塗料を硬化させて、樹脂成形品Ｊを塗料で被覆した後、被覆した樹脂成形品Ｊを、製品として第１金型１００から取り出す。
【００４６】
本実施形態によれば、例え、製品キャビティの端末部が玉縁形状の場合等であっても、成形時において、金型を微小に開くことにより、塗料漏れを防止するためのシール部ができる。また、従来技術では難しかった樹脂成形品の表面から注入した塗料を、樹脂成形品の側面を介して裏側にまで流すことができるようになり、１台の塗料注入機で樹脂成形品の表面と裏面の両方を塗装することが可能になり、また、アンダーカットの樹脂成形品であっても塗装することが可能になった。
なお、第１金型１００のように、製品キャビティ１５と補助キャビティ１７を近づければ、金型割面に侵入した塗料も、樹脂成形品と同時に金型から取り出しやすくなる。
【００４７】
以上、第１金型１００を使用して成形を行った場合を説明したが、本発明に適応できる金型が第１金型１００に限らないことは勿論であって、本発明の技術思想を逸脱しない範囲で他の形態を適用することは可能であり、例えば、図５に示すような、第２金型２００を使用して本発明を適応することが可能である。
【００４８】
図５に示す第２金型１００は、従来型の樹脂のシール技術と、本発明によるシール技術を１つの金型に同時に採用した例を示しており、塗料注入工程の際に、シール部Ｓ２Ａ及びＳ３Ａによって、製品キャビティ１５に連通している金型割面を介して補助キャビティ１７に流れ込んでくる塗料をシールするとともに、シール部Ｓ１Ａにより成形した樹脂部によって金型キャビティ部を強く挟み込むことにより、製品キャビティ１５の塗料注入機５０を配した側（第２金型２００においては、固定型３側）から、製品キャビティ１５の端部に形成した玉縁の側面を介して、玉縁の裏側に周りこむ塗料の漏れを防止する。
【産業上の利用可能性】
【００４９】
本発明の適応範囲は特に限定されないが、自動車部品、或いは家電品等において使用される樹脂の表面を塗料で被覆した型内被覆成形品において、特に好ましく適用できる。
【符号の説明】
【００５０】
３        固定型
３Ａ      固定型構成金型ブロック（基礎部分）
３Ｂ      固定型構成金型ブロック（突起部溝形成部分）
５        可動型
５Ａ      可動型構成金型ブロック（基礎部分）
５Ｂ      可動型構成金型ブロック（突起部溝形成部分）
５Ｃ      可動型構成金型ブロック（玉縁部溝形成部分）
１５      製品キャビティ
１７      補助キャビティ
５０      塗料注入機
６０      射出ノズル
６０Ａ    第１バルブゲート
６０Ｂ    第２バルブゲート
１００    第１の型内被覆成形用金型（第１金型）
２００    第２の型内被覆成形用金型（第２金型）
Ｊ        樹脂
Ｔ        塗料
Ｈ１      壁部
Ｓ１      シール部（金型ブロック５Ｃ溝部）
Ｓ２      シール部（金型ブロック３Ｂ溝部）
Ｓ３      シール部（金型ブロック５Ｂ溝部）
【図１】
2012196928.tif 000003
【図２】
2012196928.tif 000004
【図３】
2012196928.tif 000005
【図４】
2012196928.tif 000006
【図５】
2012196928.tif 000007
【図６】
2012196928.tif 000008
【図７】
2012196928.tif 000009